(57)【要約】【課題】温風送風ユニットの安全性を確保しつつ、製造原価を低減させることを課題とする。【解決手段】温風送風ユニット３３は、送風ファン２４と、送風ファン２４の下流側に、送風ファン２４と略水平方向に略並列に配置されるヒータ２６と、送風ファン２４とヒータ２６を上面から一体的に覆うファンケース２７と、ヒータ２６を下面から覆うヒータカバー２８と、送風ファン２４の下面を覆い、フィルター３０を着脱自在に収納するフィルター収納ケース１８と、ファンケース２７の上部に装着され、前記送風ファンを駆動する送風モータ２５とを有し、ファンケース２７とヒータカバー２８を耐熱樹脂材料で形成することにより、耐熱性が必要な部分と不必要な部分を明確に分離できるので、安全性を確保しつつ、製造原価を低減させることができる。【選択図】図４
2015146935.tif 000002
【特許請求の範囲】
【請求項１】
筐体と、前記筐体内に配設され、下部に排水経路口を設けた外槽と、前記外槽内に回転自在に内包した内槽と、前記内槽を回転駆動するモータと、前記内槽に温風を送風する温風送風ユニットとを備え、前記温風送風ユニットは、送風ファンと、前記送風ファンの下流側に、前記送風ファンと略水平方向に略並列に配置されるヒータと、前記ヒータと前記送風ファンを覆うファンケースと、前記ヒータを覆って前記ファンケースに装着されるヒータカバーと、前記送風ファンを覆って前記ファンケースに装着され、フィルターを着脱自在に収納するフィルター収納ケースとを有し、前記ファンケースと前記ヒータカバーを耐熱樹脂材料で形成した洗濯乾燥機。
【請求項２】
前記ファンケースに上部に、前記送風ファンを駆動する送風モータを装着した請求項１記載の洗濯乾燥機。
【発明の詳細な説明】
【技術分野】
【０００１】
本発明は、槽内に投入した衣類に温風を噴出させて、衣類の乾燥や脱臭などを行う洗濯乾燥機に関するものである。
【背景技術】
【０００２】
従来、この種の洗濯乾燥機は、衣類を投入した槽内に温風を噴出させるために、ヒータ、送風モータ、送風ファンなどの部品をユニットにし、機内上部に配置する構成が提案されてきた（例えば、特許文献１参照）。
【０００３】
図５は、特許文献１に記載された従来の洗濯乾燥機の縦断面図、図６は、同洗濯乾燥機の要部断面図、図７は、同洗濯乾燥機の要部分解斜視図である。
【０００４】
図５、図６、図７において、筐体５１は、外槽５２をサスペンション５３により懸垂防振支持している。外槽５２の内部には衣類を投入する内槽５４を回転自在に設け、この内槽５４の中央内底部に回転翼５５を回転自在に設け、内槽５４の上方に流体バランサー５６を設けている。外槽５２の下方にモータ（駆動手段）５７を設け、中空で二軸構造となった洗濯・脱水軸５８、および洗濯または脱水時によって回転力の伝達を洗濯・脱水軸５８に切り換えるクラッチ５９を介して、内槽５４または回転翼５５に連結している。
【０００５】
筐体カバー７５は、筐体５１の上部を覆うもので、筐体カバー７５の後方内部には、内槽５４内に乾燥用の温風を送風する送風手段７９を配設し、機体の後方から外気を吸気する吸気口８０を設けている。
【０００６】
外槽カバー８１は、外槽５２の上面を覆うように設け、この外槽カバー８１には、伸縮自在の上部蛇腹状ホース８２を介して内槽５４内に温風を供給する温風噴出口８３が開口している。また、この外槽カバー８１には供給した温風を排出する排気口８４が開口しており、内蓋８５も後方軸支で開閉自在に設けてある。
【０００７】
送風手段７９は、送風モータ９５をその上面に装着し、送風モータ９５と連結して回転駆動する送風ファン８６を収納する第１のファンケース８７と、複数個の吸気孔８８ａを有する仕切板８８と、第１のファンケース８７と仕切板８８とにより吸気風洞８９を形成する第２のファンケース９０とで構成し、送風ファン８６の排気側にヒータ（加熱手段）９１を配設している。
【０００８】
フィルター９２は、筐体カバー７５内で吸気口８０、送風ファン８６、ヒータ９１、温風噴出口８３などで形成する吸排気経路の中の送風ファン８６と吸気口８０の間に配設し、送風ファン８６は、その回転軸を略鉛直方向とし、矢印ｎで示す筐体１の内部からの吸気と、矢印ｍで示す筐体１の内部からの吸気の双方あるいはいずれか一方よりその中心軸部へ吸気し、径方向外側へ排気する構成となっている。
【０００９】
以上の構成にて、洗濯行程が終わり乾燥行程に入ると、モータ５７を駆動して回転翼５５に伝達し、回転翼５５をゆっくり回転させることにより、脱水時の遠心力により内槽５４の内壁に張り付いた衣類を引き剥がした後、所定の時間だけ内槽５４を回転させながら衣類を乾燥する槽回転乾燥行程を行う。さらに、その後、回転翼５５を瞬間的に正逆の方向に強力に回転させて、衣類を内槽５４内で上方に放り上げるようにして撹拌しながら乾燥する撹拌乾燥行程を行う。
【００１０】
同時に、送風モータ７５が送風ファン８６を回転駆動することにより、吸気口８０より筐体５１の内部からの吸気と、筐体５１の内部からの吸気の双方あるいはいずれか一方より吸気し、この吸気された空気は、フィルター９２によりほこりなどの異物を回収し、ヒータ９１を通って加熱された温風となって、温風噴出口８３より内槽５４の内部に送り込まれる。内槽５４内にて衣類の水分を奪って湿気を含んだ温風は、排気口８４より排気フィルター８４ａを介して、筐体５１内に排出される。これにより、乾燥が進行する。
【先行技術文献】
【特許文献】
【００１１】
【特許文献１】特開２００５−０００４９２号公報
【発明の概要】
【発明が解決しようとする課題】
【００１２】
しかしながら、前記従来の構成においては、通電されたまま送風モータが回転停止するなどの故障になった場合には、送風モータが高温状態になると共に、ヒータに送風されずにヒータが高温状態になる。安全性を確保するために、送風モータを上面に装着して送風ファンとヒータを覆うファンケースと、ヒータの下部と送風ファンの下部を一体的に覆っている大きな仕切板を耐熱材料で構成することが一般的に行われている。この構成においては、送風ファンの下部側については耐熱性が不必要であるにもかかわらず耐熱材料で構成されており、製造原価として高価な構成となっていた。
【００１３】
本発明は、前記従来の課題を解決するもので、送風モータやヒータが万が一の故障で高熱になったり発火したりした場合でも他の部分に類焼しないように、送風モータやヒータなどの配置や、送風ファンやヒータを覆うケースの構成を合理的に行ない、耐熱性が必要な部分と不必要な部分を明確に分離することにより、安全性を確保しつつ、製造原価を低減させることのできる洗濯乾燥機を提供することを目的としている。
【課題を解決するための手段】
【００１４】
前記従来の課題を解決するために、本発明の洗濯乾燥機は、筐体と、前記筐体内に配設され、下部に排水経路口を設けた外槽と、前記外槽内に回転自在に内包した内槽と、前記内槽を回転駆動するモータと、前記内槽に温風を送風する温風送風ユニットとを備え、前記温風送風ユニットは、送風ファンと、前記送風ファンの下流側に、前記送風ファンと略水平方向に略並列に配置されるヒータと、前記ヒータと前記送風ファンを覆うファンケースと、前記ヒータを覆って前記ファンケースに装着されるヒータカバーと、前記送風ファンを覆って前記ファンケースに装着され、フィルターを着脱自在に収納するフィルター収納ケースとを有し、前記ファンケースと前記ヒータカバーを耐熱樹脂材料で形成したものである。
【００１５】
これによって、送風モータやヒータが万が一の故障で高熱になったり、発火した場合でも他の部分に類焼しないように、送風モータやヒータなどの配置や、送風ファンやヒータを覆うケースの構成を合理的に行ない、耐熱性が必要な部分と不必要な部分を明確に分離することにより、安全性を確保しつつ、製造原価を低減させることができる。
【発明の効果】
【００１６】
本発明の洗濯乾燥機は、温風送風ユニットの合理的な構成にて、耐熱性が必要な部分と不必要な部分を明確に分離することにより、安全性を確保しつつ、製造原価を低減させることができる。
【図面の簡単な説明】
【００１７】
【図１】本発明の実施の形態における洗濯乾燥機の縦断面図
【図２】同洗濯乾燥機の要部断面図
【図３】同洗濯乾燥機の要部斜視図
【図４】同洗濯乾燥機の要部分解斜視図
【図５】従来の洗濯乾燥機の縦断面図
【図６】同洗濯乾燥機の要部断面図
【図７】同洗濯乾燥機の要部分解斜視図
【発明を実施するための形態】
【００１８】
第１の発明は、筐体と、前記筐体内に配設され、下部に排水経路口を設けた外槽と、前記外槽内に回転自在に内包した内槽と、前記内槽を回転駆動するモータと、前記内槽に温風を送風する温風送風ユニットとを備え、前記温風送風ユニットは、送風ファンと、前記送風ファンの下流側に、前記送風ファンと略水平方向に略並列に配置されるヒータと、前記ヒータと前記送風ファンを覆うファンケースと、前記ヒータを覆って前記ファンケースに装着されるヒータカバーと、前記送風ファンを覆って前記ファンケースに装着され、フィルターを着脱自在に収納するフィルター収納ケースとを有し、前記ファンケースと前記ヒータカバーを耐熱樹脂材料で形成することにより、送風モータやヒータが万が一の故障で高熱になったり発火したりした場合でも他の部分に類焼しないように、送風モータやヒータなどの配置や、送風モータやヒータを覆うケースの構成を合理的に行ない、耐熱性が必要な部分と不必要な部分を明確に分離することにより、安全性を確保しつつ、製造原価を低減させることができる。
【００１９】
以下、発明の実施の形態について、図面を参照しながら説明する。また、この実施の形態によって本発明が限定されるものではない。
【００２０】
（実施の形態１）
図１は、本発明の実施の形態における洗濯乾燥機の縦断面図を示したものである。
【００２１】
図１において、筐体１は、外槽２をサスペンション３により垂下防振支持している。外槽２の内部に回転中心軸を略鉛直方向に有する内槽４を回転自在に設け、この内槽４の中央内底部に衣類を攪拌する回転翼５を回転自在に設け、内槽４の上方には振動低減用の流体バランサー６を設けている。また、外槽２の下部にはモータ（駆動手段）７を設け、中空で二軸構造となった洗濯・脱水軸８、および洗濯または脱水時によって回転力の伝達を洗濯・脱水軸８に切り換えるクラッチ９を介して、内槽４または回転翼５に連結している。
【００２２】
筐体カバー１０は、筐体１の上部を覆うもので、略中央部には蓋体１１を後方軸支で開閉自在に有し、前部には操作表示兼入力手段１２を設けるとともに、内槽４に給水する給水弁（図示せず）を後方内部に設けている。
【００２３】
また、筐体カバー１０の後方内部には、内槽４内に乾燥用の温風を送風する温風送風ユニット３３を配設している。温風送風ユニット３３は、送風ファン２４と、送風ファン２４を回転駆動する送風モータ２５から成る送風手段１４を主体としており、温風送風ユニット３３の排気側には、空気が当たることにより温度が上がり循環空気を温めるためのヒータ２６（図４参照）が、送風ファン２４と略水平方向に略並列に設けられている。送風ファン２４とヒータ２６を略水平方向に略並列に配置することにより、送風ファン２４は、一般的な洗濯乾燥機に使用される送風ファンよりも羽高さを高くすることができるので、乾燥風の風量や風速を造作させることができ、
また、送風ファン２４の下方で吸気側に位置するフィルター収納ケース１８には、衣類の乾燥で発生する糸くずやほこりを捕集するためのフィルター３０が水平方向に着脱自在に収納されている。温風送風ユニット３３の詳細については、図２〜図４に基づいて後述
する。
【００２４】
熱交換器１５は、内槽４内の衣類を通過して湿った温風を除湿するもので、一端を外槽２の排水経路口１６に接続した接続ダクト１７に接続し、他端を温風送風ユニット３３の下部に設けた上流側連通口３２に接続している。
【００２５】
外槽カバー１９は外槽２の上面を水密的に覆うもので、この外槽カバー１９に内蓋２０を開閉自在に設け、衣類の出し入れを行うようにしており、この外槽カバー１９には温風送風ユニット３３に設けた伸縮自在の上部蛇腹状ホース２１を介し内槽４内に温風を噴出して供給する温風噴出口２２が開口している。
【００２６】
そして、外槽２、排水経路口１６、接続ダクト１７、熱交換器１５、上流側連通口３２、フィルター３０、送風ファン２４、ヒータ２６、温風噴出口２２、内槽４の順に空気が循環する循環経路４１を形成している。
【００２７】
排水弁４２は、接続ダクト１７と熱交換器１５からの排水を、排水ダクト４３を通して排水弁４２に導き、排水ホース４４から機外へ排水するように構成している。
【００２８】
筐体１の背面側に設けた制御装置４５は、マイクロコンピュータを具備し、モータ７、クラッチ９、排水弁３９、給水弁、送風ファン２４、ヒータ２６などの動作を制御し、洗い、すすぎ、脱水、乾燥の一連の行程を逐次制御する。
【００２９】
図２は、本発明の実施の形態における洗濯乾燥機の要部断面図、図３は、同洗濯乾燥機の要部斜視図、図４は、同洗濯乾燥機の要部分解斜視図で、温風送風ユニット３３周りを示すものである。
【００３０】
図２，図３，図４において、温風送風ユニット３３は、送風ファン２４と、この送風ファン２４を駆動する送風モータ２５の送風手段１４と、送風ファン２４の下流側に配置したヒータ（加熱手段）２６と、送風ファン２４とヒータ（加熱手段）２６を一体的に上面から覆い、送風モータ２５を上部に装着するファンケース２７と、送風ファン２４と略水平方向に略並列に配置されたヒータ２６のみの下面を覆ってファンケース２７に装着されるヒータカバー２８と、ファンケース２７の送風ファン２４の下方を覆ってファンケース２７に装着されるフィルター収納ケース１８などで構成されている。ファンケース２７およびヒータカバー２８は、耐熱樹脂材料にて形成されている。フィルター収納ケース１８は、耐熱樹脂材料以外の一般的な合成術材料を用いて形成されており、一般的な発泡材のタイトパッキン２９を介してファンケース２７に装着される。
【００３１】
また、温風送風ユニット３３のヒータ２６より下流側の下面には、上述した上部蛇腹状ホース２１がヒータカバー２８に接続され、上部蛇腹状ホース２１の下端部は、外槽カバー１９に接続され、内槽４に向けて温風噴出口２２が開口している。
【００３２】
また、フィルター収納ケース１８の前面には、着脱自在なフィルター３０を装着する装着口３１が開口しており、下面後端には熱交換器１５に連通する上流側連通口３２が設けられている。
【００３３】
なお、フィルター収納ケース１８は、ファンケース２７やヒータカバー２８のような耐熱樹脂材料ではなく、一般的な樹脂材料で形成されている。これは、ファンケース２７は、上部に送風モータ２５を装着し、内部にヒータ２６を内設しているために、万が一の故障で高熱になったり発火したりした場合でも他に類焼しないため耐熱樹脂材料で形成され、ヒータ２６の下面を覆うヒータカバーも同様の理由で、耐熱樹脂材料で形成されている
が、フィルター収納ケース１８はその必要が無いために、一般的な樹脂材料で形成されている。
【００３４】
以上のように構成された洗濯乾燥機について、以下、その動作、作用を説明する。
【００３５】
洗い行程では、蓋体１１と内蓋２０を開けて、内槽４に衣類（洗濯物）を投入し、運転を開始すると、給水弁を開いて所定の水位まで給水した後、モータ７を駆動する。このとき、伝達機構部のクラッチ９によりモータ７の動力を、洗濯・脱水軸８の洗濯軸を介して回転翼５に伝達し、回転翼５を回転させて衣類を水中で撹拌して洗い、その後、排水弁４２を開いて排水し、すすぎ行程では、再度給水して洗い行程と同様の動作にて衣類をすすぐ。
【００３６】
脱水行程では、すすぎ終了後、排水弁４２を開いて内槽４内の水を排水した後、伝達機構部のクラッチ９を脱水側に切り換えて、モータ７の動力を、洗濯・脱水軸８の脱水軸を介して内槽４に伝達して回転させ、衣類に遠心力を与えることにより、水分を衣類から分離する。脱水行程が終了すると、引きつづいて乾燥行程に移行する。
【００３７】
乾燥行程に入ると、モータ７を駆動して回転翼５に伝達し、回転翼５をゆっくり回転させることにより、脱水時の遠心力により内槽４の内壁に張り付いた衣類を引き剥がし、所定の時間だけ内槽４を低速で回転させながら、衣類を乾燥する槽回転乾燥行程を行う。さらに、その後、回転翼５を瞬間的に正逆の方向に強力に回転させて、衣類を内槽４内で上方に放り上げるようにして撹拌しながら乾燥する撹拌乾燥行程を行う。
【００３８】
同時に、送風ファン２４を駆動させることにより、筐体１の内部から吸気し、この吸気された乾燥用の空気は、ヒータ２６を通って加熱された温風となって、温風噴出口２２より内槽４の内部に送り込まれる。温風噴出口２２より内槽４に吹き込まれた温風は、衣類から水分を蒸発させた後、外槽２の下部に設けた排水経路口１６、接続ダクト１７、熱交換器１５、上流側連通口３２、送風ファン２４、ヒータ２６、温風噴出口２２などで形成する循環経路４１を循環する。衣類から水分を蒸発させた高温多湿空気は、外槽２および熱交換器１５を通過する際に、自然冷却されて除湿し、その後、再び、送風ファン２４、ヒータ２６に戻ることになる。これにより、乾燥が進行する。
【００３９】
乾燥行程で、ヒータ２６により加熱され、送風ファン２４により温風噴出口２２より内槽４に吹き込まれた温風は、衣類から水分を蒸発させた後、循環経路４１内を循環するとき、衣類から発生した糸くず、ほこりなどはフィルター３０に補集され、ヒータ２６への付着を防いでいる。
【００４０】
以上のように、本実施の形態においては、温風送風ユニット３３は、送風ファン２４と、送風ファン２４の下流側に、送風ファン２４と略水平方向に略並列に配置されるヒータ２６と、送風ファン２４とヒータ２６を覆うファンケース２７と、ヒータ２６を覆ってファンケース２７に装着されるヒータカバー２８と、送風ファン２４を覆ってファンケース２７に装着され、フィルター３０を着脱自在に収納するフィルター収納ケース１８と、ファンケース２７の上部に装着され、前記送風ファンを駆動する送風モータ２５とを有し、ファンケース２７とヒータカバー２８を耐熱樹脂材料で形成することにより、送風モータ２５やヒータ２６が万が一の故障で高熱になったり、発火した場合でも他の部分に類焼しないように、送風モータ２５やヒータ２６などの配置や、送風ファン２４やヒータ２６を覆うケースの構成を合理的に行ない、耐熱性が必要な部分と不必要な部分を明確に分離することにより、安全性を確保しつつ、製造原価を低減させることができる。
【００４１】
本実施の形態では、ファンケース２７を深底形状に形成し、フィルター収納ケース１８
とヒータカバー２８のファンケース２７と接触する面を平面状に形成したが、ファンケース２７、フィルター収納ケース１８及びヒータカバー２８を、深底形状に形成する構成としてもよく、フィルター収納ケース１８及びヒータカバー２８を深底形状に形成し、ファンケース２７のフィルター収納ケース１８及びヒータカバー２８と接触する面を平面状に形成する構成としてもよい。
【００４２】
また、本実施の形態では、内槽の回転軸を鉛直方向に向けた構成の洗濯乾燥機を用いて説明したが、内槽の回転軸を水平方向、或いは傾斜させた構成の洗濯乾燥機に用いてもよい。
【産業上の利用可能性】
【００４３】
以上のように、本発明にかかる洗濯乾燥機は、温風送風ユニットの合理的な構成にて、耐熱性が必要な部分と不必要な部分を明確に分離することにより、安全性を確保しつつ、製造原価を低減させることができるので、ドラム式洗濯機など乾燥機能を有する他の洗濯機の用途に適用できる。
【符号の説明】
【００４４】
１  筐体
２  外槽
４  内槽
５  回転翼
７  モータ
１０  筐体カバー
１６  排水経路口
１８  フィルター収納ケース
１９  外槽カバー
２２  温風噴出口
２４  送風ファン
２５  送風モータ
２６  ヒータ
２７  ファンケース
２８  ヒータカバー
３０  フィルター
３３  温風送風ユニット
４１  循環経路
【図１】
2015146935.tif 000003
【図２】
2015146935.tif 000004
【図３】
2015146935.tif 000005
【図４】
2015146935.tif 000006
【図５】
2015146935.tif 000007
【図６】
2015146935.tif 000008
【図７】
2015146935.tif 000009